【事件の表示】
　平成　４年特許願第　８４４６０号「装置間デジタルデータ交換処理装置及びこれに利用されるメモリの使用方法」拒絶査定に対する審判事件［平成　６年　２月２５日出願公開、特開平　６−　５４０９３］について、次のとおり審決する。
【結　論】
　本件審判の請求は、成り立たない。
【理　由】
１　手続の経緯・本願発明
　本願は、平成４年３月６日の出願（優先権主張、平成３年３月７日、米国）であって、その請求項１に係る発明（以下「本願発明」という）は、平成４年１２月２５日、平成１１年３月４日、及び平成１２年１２月２０日の手続補正により補正された明細書及び図面の記載からみて、特許請求の範囲の請求項１に記載された次のとおりのものである。
　
「一連のデジタルデータの発生源からデジタルデータ受信器へのデータ交換を処理する装置であって、
　前記データ発生源は一定の速度でデータを生成し、一方、前記データ受信器はこのデータを前記データ発生源のデータ生成速度とは非同期の速度で要求し、前記データ発生源は、前記データ生成の中断後、データ・シーケンス中におけるデータ生成が中断された位置においてデータ生成を再開することによって再循環命令の受信に応答可能であることを特徴とし、さらに、
　複数のデータ記憶部を最初の記憶部から最後の記憶部まで連続的に配置して設けたメモリ手段と、
　データ発生源からのデータを前記データ記憶部に順次配置するデータ配置手段であって、前記最後の記憶部におけるデータの配置に応答して、前記最初のデータ記憶部に前回記憶されたデータがデータ受信器に転送済みか転送された場合に前記最初のデータ記憶部にその次のデータを配置するようにして、前記メモリ手段における前記連続したデータ記憶を再循環させる手段を備えたデータ配置手段と、
　前記受信器からのデータ要求に応答して、前記メモリ手段のデータ記憶部から前記受信器へ前記データ記憶部の順にデータを転送する、データ要求応答手段と、
　前記データ発生源からのデータを受信するのに利用可能な前記データ記憶部が存在しないことを検出して、前記データ発生源が前記メモリ手段に次のデータを送るのを防ぐための検出手段であって、前記受信器へのデータの転送によって少なくとも１つの前記記憶部が利用可能になったことを検知して、前記データ発生源に一定のデータレートで前記データの生成を前記次のデータから開始させるようにする手段を備えた検出手段と、
　を備えて成ることを特徴とするデジタルデータ交換処理装置。」
２　引用刊行物
　これに対して、原査定の拒絶理由で引用した特開平３−４５０７５号公報（平成３年２月２６日出願公開。以下「引用例」という。）には、「画像読取装置」の発明に関し、
　ア　「本発明は、ラインイメージセンサにより画像を読み取って得た画情報を、外部から入力される画情報の転送要求に応じて送出する画像読取装置に関する」（１頁右下欄５行〜８行）こと、
　イ　「本発明は、上記の問題を解決し、画像読み取りを一旦停止しても良好な画像を読み取ることができる画像読取装置を提供することを目的とする」（２頁右上欄７行〜９行）こと、
　ウ　「このため本発明は、読み取り画像に対してラインイメージセンサを副走査方向に移動させながら１ラインづつ画像を読み取って、これにより取り出した画情報をメモリに一時格納し、外部から転送要求を受けるとそのメモリから予め設定されたデータ量の画情報を読み出して順次送出する一方、上記メモリ内に残っている画情報のデータ量を判定して、そのデータ量が零の場合に上記ラインイメージセンサの移動速度を最高速度にすると共にそのデータ量に応じてその速度を低下させて画像読み取りを実行する一方、上記データ量がそのメモリ容量一杯になっている期間、画像読み取り動作を停止するようにしたことを特徴とするものである」（２頁右上欄１１行〜左下欄４行）こと、
　エ　「メモリ１０２は、画像読取部１０１から入力した画情報を一時格納するもので、例えば３０ライン分という一定の記憶容量を有している。アドレスカウンタ１０３は、メモリ１０２の画情報書込時のアドレスを示すもので、アドレスカウンタ１０４は、画情報読出時のアドレスを示すものである。なお、この２つのカウンタは、最大値までカウントアップした後、再び０からカウント動作を繰り返すものである」（２頁右下欄１５行〜３頁左上欄３行）こと、
　オ　「ＣＰＵ１１３は、ワードカウンタ１１０にハードディスク装置２に１回に転送する画情報のバイト数をセットする。（中略）次にタイミング制御回路１１２は、Ｕ／Ｄカウンタ１１１の計数値が１以上であるか判別し（２００３）、１以上、つまりメモリ１０２に１ライン以上画情報が格納されていると（２００３のＹ）、次にハードディスク装置２からのデータ要求信号ＤＲＱをチェックする（２００４）。（中略）タイミング制御回路１１２は、この状態のとき、メモリ１０２にリードイネーブル信号を出力する。これにより、メモリ１０２の画情報が１バイト読み出されて、ラッチ回路１０８に画情報Ｖ０としてセットされる（２００５）。この後（中略）ハードディスク装置２は、そのデータアック信号ＤＡＣＫの出力パルスのタイミングで上記１バイトの画情報Ｖ０を読み取って記憶する」（４頁左上欄１８行〜左下欄６行）こと、
　カ　「画像読取部１０１による画像読み取り速度に対して、ハードディスク装置２の画情報を取り込む速度が遅れた場合、メモリ１０２内の画情報のデータ量が徐々に増えることになる。ＣＰＵ１１３は、第４図に示すように、読み取り動作が起動されると（３００１のＹ）、Ｕ／Ｄカウンタ１１１の計数値によりメモリ１０２内の画情報のライン数を判定する（３００２）。いま、メモリ１０２の記憶容量が画情報３０ライン分であるとすると、メモリ１０２の空き領域がある場合（３００３のＮ）、例えば、第５図に示すように、副走査速度を、ライン数が一定ライン数以下のとき最高とする一方、そのライン数の増加に応じて低く設定した速度により副走査制御を実行する（３００４）。また、ライン数が３０ラインでメモリ１０２の容量が一杯になった場合（３００３のＹ）、副走査を一時停止する（３００５）」（４頁左下欄１９行〜右下欄１５行）こと、
　キ　「以上のように、本発明によれば、画情報を格納してメモリ内の空き領域が少なくなると、ラインイメージセンサの移動速度を徐々に低下させるので、直ちに停止したり再起動したりすることがなくなり、制御タイミングと実際のラインイメージセンサの移動距離とのずれが少なくなるため、画像読み取りを一旦停止しても良好な画像を読み取ることができるようになる」（５頁右上欄７行〜１４行）こと、
が記載されている。
　
３　対比・判断   
　そこで、本願発明と引用例に記載された発明とを対比すると、
　(a)　引用例に記載された発明は、画像読取装置１（デジタルデータの発生源）で読み取った画情報をデータ要求信号ＤＲＱに応じて、ハードディスク装置２（デジタルデータ受信機）に転送するものである（上記２ウ、オ参照）から、「一連のデジタルデータの発生源からデジタルデータ受信器へのデータ交換を処理する装置」である点で、本願発明と差異がない。
　(b)　引用例に記載された発明において、画像読取装置１（データ発生源）は、副走査速度を、ライン数が一定ライン数以下のとき最高とする一方、そのライン数の増加に応じて低く設定した速度により副走査制御を実行し、メモリ１０２の容量が一杯になった場合、副走査を一時停止するものである（上記２カ参照）。
　また、ハードディスク装置２（データ受信機）は、データ要求信号ＤＲＱにより、画像読取装置１に対してデータ要求を行うもので、その速度は、画像読取装置１のデータ生成速度とは非同期の速度であることが明かである。
　更に、後記(d)、(f)で述べるように、画像読取装置１は、メモリ１０２の容量に空きが生じた場合、副走査を再開するものであり、メモリ１０２は、再循環して使用されるものである。
　したがって、引用例に記載された発明は、データ発生源が「一定の速度でデータを生成」する点、及び、「前記データ生成の中断後、データ・シーケンス中におけるデータ生成が中断された位置においてデータ生成を再開する」点を除き、「前記データ発生源は所定の速度でデータを生成し、一方、前記データ受信器はこのデータを前記データ発生源のデータ生成速度とは非同期の速度で要求し、前記データ発生源は、前記データ生成の中断後、データ生成を再開することによって再循環命令の受信に応答可能である」点で、本願発明と差異がない。
　(c)　引用例に記載された発明は、画像読取部１０１から入力した画情報を一時格納するメモリ１０２を備え、該メモリは、例えば３０ライン分という一定の記憶容量を有し、アドレスカウンタ１０３と、アドレスカウンタ１０４により、画情報の書込みと読出しを行うものである（上記２エ参照）から、「複数のデータ記憶部を最初の記憶部から最後の記憶部まで連続的に配置して設けたメモリ手段」を備える点で、本願発明と差異がない。
　(d)　引用例に記載された発明は、画像読取部１０１で読み取った画情報を、アドレスカウンタ１０３を用いてメモリ１０２に一時格納するものであり、アドレスカウンタ１０３は、メモリ１０２の画情報書込時のアドレスを示し、最大値までカウントアップした後、再び０からカウント動作を繰り返すものである（上記２エ参照）。
　そして、メモリ１０２の容量が一杯になった場合には、副走査が一時停止される（上記２カ参照）が、それ以外、すなわち、前回記憶されたデータがハードディスク装置２（データ受信機）に転送済みか、転送され、メモリ１０２の最初の記憶部に空きが生じている場合には、前記アドレスカウンタ１０３は、最大値までカウントアップしたとき、再び０からカウント動作を繰り返し、メモリ１０２の最初の記憶部にその次の画情報を書き込むものとなることが当業者に明かであるから、かかるアドレスカウンタ１０３は、メモリ１０２における連続したデータ記憶を再循環させる手段ということができる。
　したがって、引用例に記載された発明は、「データ発生源からのデータを前記データ記憶部に順次配置するデータ配置手段であって、前記最後の記憶部におけるデータの配置に応答して、前記最初のデータ記憶部に前回記憶されたデータがデータ受信器に転送済みか転送された場合に前記最初のデータ記憶部にその次のデータを配置するようにして、前記メモリ手段における前記連続したデータ記憶を再循環させる手段を備えたデータ配置手段」を有している点で、本願発明と差異がない。
　(e) 引用例に記載された発明におけるタイミング制御回路１１２は、ハードディスク装置２（データ受信機）からのデータ要求信号ＤＲＱをチェックし、そのデータ要求信号がオンになると、メモリ１０２にリードイネーブル信号を出力し、アドレスカウンタ１０４のアドレス値によりメモリ１０２の画情報を１バイトづつ読出し、そのデータをハードディスク装置２に順次出力するものである（上記２オ参照）から、「前記受信器からのデータ要求に応答して、前記メモリ手段のデータ記憶部から前記受信器へ前記データ記憶部の順にデータを転送する、データ要求応答手段」を備える点で、本願発明と差異がない。
　(f)引用例に記載された発明におけるＣＰＵ１１３は、読み取り動作が起動されると、Ｕ／Ｄカウンタ１１１の計数値によりメモリ１０２内の画情報のライン数を判定し、ライン数が３０ラインでメモリ１０２の容量が一杯になった場合（３００３のＹ）、副走査を一時停止するものであり（上記２カ参照）、第４図の記載から明らかなように、副走査を一時停止（ステップ３００５）した後、読取終了していない場合（ステップ３００６）には、再びメモリ内のライン数を判定し（ステップ３００２）、メモリフルか否かを判定し（ステップ３００３）、メモリフルでない場合には、再びライン数に応じた速度で副走査を実行する（ステップ３００４）ものであり、ステップ３００３における判定結果がメモリフルの状態（ステップ３００３のＹ）からメモリフルでない状態（ステップ３００３のＮ）に変化したのは、メモリ１０２からハードディスク装置２へデータが転送されてメモリ１０２に空きが生じたことによるものであることが明かであるから、「前記データ発生源に一定のデータレートで前記データの生成を前記次のデータから開始させる手段」を備える点は別として、「前記データ発生源からのデータを受信するのに利用可能な前記データ記憶部が存在しないことを検出して、前記データ発生源が前記メモリ手段に次のデータを送るのを防ぐための検出手段であって、前記受信器へのデータの転送によって少なくとも１つの前記記憶部が利用可能になったことを検知して、前記データ発生源に所定のデータレートで前記データの生成を開始させるようにする手段を備えた検出手段」を備える点で、本願発明と差異がない。
　したがって、両者は、
「一連のデジタルデータの発生源からデジタルデータ受信器へのデータ交換を処理する装置であって、前記データ発生源は所定の速度でデータを生成し、一方、前記データ受信器はこのデータを前記データ発生源のデータ生成速度とは非同期の速度で要求し、前記データ発生源は、前記データ生成の中断後、データ生成を再開することによって再循環命令の受信に応答可能であり、さらに、複数のデータ記憶部を最初の記憶部から最後の記憶部まで連続的に配置して設けたメモリ手段と、データ発生源からのデータを前記データ記憶部に順次配置するデータ配置手段であって、前記最後の記憶部におけるデータの配置に応答して、前記最初のデータ記憶部に前回記憶されたデータがデータ受信器に転送済みか転送された場合に前記最初のデータ記憶部にその次のデータを配置するようにして、前記メモリ手段における前記連続したデータ記憶を再循環させる手段を備えたデータ配置手段と、前記受信器からのデータ要求に応答して、前記メモリ手段のデータ記憶部から前記受信器へ前記データ記憶部の順にデータを転送する、データ要求応答手段と、前記データ発生源からのデータを受信するのに利用可能な前記データ記憶部が存在しないことを検出して、前記データ発生源が前記メモリ手段に次のデータを送るのを防ぐための検出手段であって、前記受信器へのデータの転送によって少なくとも１つの前記記憶部が利用可能になったことを検知して、前記データ発生源に所定のデータレートで前記データの生成を開始させるようにする手段を備えた検出手段と、を備えて成るデジタルデータ交換処理装置」である点で一致し、
次の点で相違する。
(相違点)    
　本願発明は、データ発生源が「一定の速度でデータを生成」し、その速度からデータ生成を中断し、その「データ生成を中断した位置において、データ生成を再開する」ものであり、「検出手段」が、「データ発生源に一定のデータレートで前記データの生成を前記次のデータから開始させるようにする手段」を備えているのに対して、引用例に記載された発明は、データ生成の速度をメモリに記憶されたライン数に応じて可変し、その減速した速度からデータ生成を中断し、そのデータ生成を中断した位置において、データ生成を再開するようにしている点。
　そこで、前記相違点について検討すると、
　デジタルデータの発生源からデジタルデータ受信機へのデータを転送する装置において、データ発生源のデータ生成速度を一定とし、その速度からデータ生成を中断した後、データ生成が中断された位置において、すなわち、中断後の次のデータからデータ生成を再開することは、当業者に周知である（必要であれば、特開平１−２７２３７２号公報、特開昭６４−５５９６２号公報、実開昭６１−７８４７４号のマイクロフイルム参照）から、データ発生源が「一定の速度でデータを生成」し、その速度からデータ生成を中断し、その「データ生成を中断した位置において、データ生成を再開する」ものとし、「検出手段」が、「データ発生源にデータの生成を前記次のデータから開始させるようにする手段」を備えるものとすることは、当業者が格別の創意工夫を要することなく、容易になし得ることである。
　そして、本願発明の構成によりもたらされる効果も引用例に記載された発明、及び周知技術から当業者が容易に予測し得る程度のものであり格別のものではない。
４　むすび
　以上のとおりであるから、本願発明は、引用例に記載された発明、及び周知技術に基いて当業者が容易に発明をすることができたものと認められるので、特許法第２９条第２項の規定により、特許を受けることができない。
　よって、結論のとおり審決する。